(57)【要約】      （修正有）【課題】使い捨て蓋による隔離により、回転軸が氷と接触しないため、回転軸を洗浄することが必要なく、そして異なる味を有する氷を交換しても、異なる味が混じらない氷かき用器具を提供する。【解決手段】円盤状を呈し、上面１１と、下面と、を有する蓋１０と、蓋１０の中心を円心とする円に等距離に配設されており、上面１１に凹部３０が複数形成されており、下面に凸部が複数形成されている複数の係止構造２０と、を含む。【選択図】図２
0003193109.tif 000002
【実用新案登録請求の範囲】
【請求項１】
円盤状を呈し、上面（１１）と、下面（１２）と、を有する蓋（１０）と、
前記蓋（１０）の中心を円心とする円に等距離に配設されており、前記上面（１１）に凹部（３０）が複数形成されており、前記下面（１２）に凸部（４０）が複数形成されている複数の係止構造（２０）と、
を含むことを特徴とする氷かき用器具。
【請求項２】
更に、製氷ケース（５０）を含み、前記製氷ケース（５０）は前記蓋（１０）にカバーされることが可能であることを特徴とする請求項１に記載の氷かき用器具。
【請求項３】
前記製氷ケース（５０）の底部は、複数の前記係止構造（２０）にそれぞれ対応する複数の突起（５２）を有することを特徴とする請求項２に記載の氷かき用器具。
【考案の詳細な説明】
【技術分野】
【０００１】
本考案は、氷かき器に関し、特に、氷かき器に合わせて使用することが可能な氷かき用器具に関するものである。
【背景技術】
【０００２】
かき氷は、夏季の大人気な食べ物であり、削り刃によって氷を細かくして、砂糖水及び各種類の食材を加えて食べると、夏季の暑い感覚を低減することが可能である。
【０００３】
かき氷を作るための氷は、製氷する前に各種類の味の香料（例えばバニラ、チョコレート又はイチゴなど）を水に入れる。このように、各種類の味を有するかき氷を作ることが可能である。
【０００４】
図１を参照する。図１は従来の氷かき器の構造を示す図である。このような氷かき器は、本体１と、回転軸２と、氷かきモールド３と、を含む。氷４は氷かきモールド３に入れられる。氷かきモールド３の底部は削り刃５を有する。回転軸２の底部は係止爪６を有する。係止爪６を氷４に押付けて回転すると、氷４が氷かきモールド３に対して相対的に回転するため、削り刃５により、氷４が削られてかき氷になる。
【０００５】
しかし、このような氷かきの方式によれば、回転軸２の底部（すなわち、係止爪６）が氷４と接触するため、毎回の氷かきが終了すると、回転軸２の底部を洗浄することが必要である。毎回の氷かきが終了するときに、回転軸２の底部を洗浄しないと、細菌が繁殖して氷４を汚染しやすい。そして異なる味を有する氷を交換するときには、回転軸２の底部を洗浄しないと、異なる味が混じって、かき氷の品質が降下する。
【考案の概要】
【考案が解決しようとする課題】
【０００６】
本考案の主な目的は、使い捨て蓋による隔離により、回転軸が氷と接触しないため、回転軸を洗浄することが必要なく、そして異なる味を有する氷を交換しても、異なる味が混じらない氷かき用器具を提供することにある。
【０００７】
本考案の次の目的は、回転軸が複数の凹部を係止して、複数の凹部が氷を係止するため、氷かきモールドに対して氷を回転させることが可能であり、氷かきモールドに設けられている削り刃により、氷を削ってかき氷になることが可能な氷かき用器具を提供することにある。
【課題を解決するための手段】
【０００８】
本考案の氷かき用器具によると、円盤状を呈し、上面１１と、下面１２と、を有する蓋１０と、蓋１０の中心を円心とする円に等距離に配設されており、上面１１に凹部３０が複数形成されており、前記下面１２に凸部４０が複数形成されている複数の係止構造２０と、を含むことを特徴とする。
【０００９】
本考案の氷かき用器具によると、更に、製氷ケース５０を含み、製氷ケース５０は蓋１０にカバーされることが可能であることを特徴とする。
【００１０】
本考案の氷かき用器具によると、製氷ケース５０の底部は、複数の係止構造２０にそれぞれ対応する複数の突起５２を有することを特徴とする。
【考案の効果】
【００１１】
本考案の氷かき用器具によれば、次のような効果がある。
（１）使い捨て蓋による隔離により、回転軸の複数の係り爪が氷と直接に接触しないため、回転軸の複数の係り爪を洗浄することが必要なく、氷が汚染されることを回避可能である。
【００１２】
（２）使い捨て蓋を採用するため、蓋を更新することにより、異なる味を有する氷を交換しても、異なる味が混じらない。
【００１３】
（３）製氷ケースが氷を収容するため、氷の品質を維持することが可能であり、そして氷の量が一定であるため、作業を標準化することが可能である。
【図面の簡単な説明】
【００１４】
【図１】従来の氷かき器の構造を示す図である。
【図２】本考案の一実施例の構造を示す斜視図である。
【図３】本考案の一実施例の別の視点から見た斜視図である。
【図４】本考案の一実施例が製氷ケースに適用される状態を示す図である。
【図５】本考案の製氷ケースが製氷に利用される状態を示す図である。
【図６】本考案の一実施例を使用可能な氷かき器の構造を示す図である。
【図７Ａ】本考案の一実施例の使用状態を示す図である。
【図７Ｂ】本考案の一実施例の使用状態を示す図である。
【図７Ｃ】本考案の一実施例の使用状態を示す図である。
【考案を実施するための最良の形態】
【００１５】
以下、本考案の実施の形態を図面に基づいて説明する。
図２及び図３を参照する。図２は本考案の一実施例の構造を示す斜視図であり、図３は本考案の一実施例の別の視点から見た斜視図である。本考案の氷かき用器具は、蓋１０と、複数の係止構造２０と、を含む。蓋１０は、円盤状を呈し、上面１１と、下面１２と、を有する。複数の係止構造２０は、蓋１０の中心を円心とする円に等距離に配設されており、上面１１に凹部３０が複数形成されており、前記下面１２に凸部４０が複数形成されている。
【００１６】
係止構造２０は六つあることが好ましい。しかし、本考案はこれらに限定されない。係止構造２０は、二つ以上あり、蓋１０の中心を円心とする円に等距離に配設されていればよい。また、係止構造２０は楔状を呈することが好ましい。
【００１７】
図４を参照する。図４は本考案の一実施例が製氷ケースに適用される状態を示す図である。本考案の氷かき用器具は、製氷ケース５０に合わせて利用することが可能である。蓋１０はエッジ１３を有する。利用の便利性を向上するために、エッジ１３の裏側に緊迫突起１３１が複数設けられている。このように、エッジ１３により、蓋１０は製氷ケース５０をカバーして、複数の緊迫突起１３１が製氷ケース５０の碗縁５１を圧迫する。これにより、蓋１０は製氷ケース５０を安定的にカバーすることが可能である。製氷の前に、製氷ケース５０に水を入れた後、蓋１０により製氷ケース５０をカバーすると、水の衛生状態を維持することが可能である。図５を参照する。図５は本考案の製氷ケースが製氷に利用される状態を示す図である。製氷ケース５０の底部は、複数の係止構造２０にそれぞれ対応する複数の突起５２を有する。このように、製氷のときには、氷７０の底部には、複数の係止構造２０（複数の凸部４０）にそれぞれ対応する複数の溝７１が形成されている。
【００１８】
図６を参照する。図６は本考案の一実施例を使用可能な氷かき器６０の構造を示す図である。氷かき器６０は、本体６１と、回転軸６２と、製氷モールド６３と、を有する。回転軸６２は、複数の凹部３０に対応する複数の係り爪６４を有する。製氷モールド６３の底部は削り刃６５を有する。蓋１０の上面１１は、下方に凹んで当接エッジ１４を形成する。当接エッジ１４に回転軸６２を押付けて迅速に定位することが可能である。
【００１９】
図７Ａから図７Ｃを参照する。図７Ａから図７Ｃは本考案の一実施例の使用状態を示す図である。まず、製氷ケース５０から蓋１０を取り外して、図７Ａに示すように、製氷モールド６３に氷７０に入れて、図７Ｂに示すように、蓋１０の下面１２を下方に向いて氷７０をカバーして、図７Ｃに示すように、氷７０の複数の溝７１に蓋１０の複数の凸部４０をそれぞれ差し込むと、蓋１０と氷７０は相対的にスライドすることができない。最後に、本体６１に製氷モールド６３を組付けて固定して、図７Ｃに示すように、蓋１０の複数の凹部３０に回転軸６２の複数の係り爪６４を係止すると、回転軸６２は氷７０を連動して回転することが可能である。製氷モールド６３が本体６１に固定するため、氷７０は削り刃６５に対して回転する。このように、削り刃６５により、氷７０が削られてかき氷になる。氷かきのプロセスを終了した後、蓋１０を捨ててもよい。
【００２０】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２１】
本考案は、氷かき器に適用することができる。
【符号の説明】
【００２２】
１  本体
２  回転軸
３  氷かきモールド
４  氷
５  削り刃
６  係止爪
１０  蓋
１１  上面
１２  下面
１３  エッジ
１４  当接エッジ
２０  係止構造
３０  凹部
４０  凸部
５０  製氷ケース
５１  碗縁
５２  突起
６０  氷かき器
６１  本体
６２  回転軸
６３  製氷モールド
６４  係り爪
６５  削り刃
７０  氷
７１  溝
１３１  緊迫突起
【図１】
0003193109.tif 000003
【図２】
0003193109.tif 000004
【図３】
0003193109.tif 000005
【図４】
0003193109.tif 000006
【図５】
0003193109.tif 000007
【図６】
0003193109.tif 000008
【図７Ａ】
0003193109.tif 000009
【図７Ｂ】
0003193109.tif 000010
【図７Ｃ】
0003193109.tif 000011